【手続補正書】
【提出日】令和2年12月3日(2020.12.3)
【手続補正１】
【補正対象書類名】特許請求の範囲
【補正対象項目名】全文
【補正方法】変更
【補正の内容】
【特許請求の範囲】
【請求項１】
多重パス増幅器システムを有するレーザシステムであって、
シード信号波長を有する少なくとも１つのシード信号を出力するように構成された少なくとも１つのシード源と、
少なくとも１つのポンプ信号波長を有する少なくとも１つのポンプ信号を供給するように構成された少なくとも１つのポンプ源と、
前記少なくとも１つのシード信号を増幅してそれに応答して少なくとも１つの増幅シード信号を発生させるように構成された少なくとも１つの第１増幅器段と、
前記少なくとも１つの増幅シード信号を受信するように構成された少なくとも１つの多重パス第２増幅器段と、
前記少なくとも１つの多重パス第２増幅器内に位置決めされた少なくとも１つの利得媒体デバイスであって、該利得媒体デバイスが、少なくとも１つの細長ファセットと少なくとも１つの小型ファセットとを有し、該少なくとも１つの利得媒体デバイスが、前記少なくとも１つのポンプ信号によってポンピングされ、かつ前記少なくとも１つの増幅シード信号を受信して出力波長範囲を有する少なくとも１つの増幅器出力信号を出力するように構成される前記少なくとも１つの利得媒体デバイスと、
前記少なくとも１つの多重パス第２増幅器段内に位置決めされた第１のミラー及び少なくとも第２のミラーであって、前記少なくとも１つの利得媒体デバイスが、該第１のミラーと少なくとも該第２のミラーの間に位置決めされ、該第１のミラー及び少なくとも１つの第２のミラーのうちの少なくとも１つが、前記出力波長範囲での高反射率の区域と該出力波長範囲の外側の波長での高透過率の区域とを有する前記第１のミラー及び少なくとも第２のミラーと、
少なくとも１つの前記多重パス増幅器システムと通信し、かつ前記少なくとも１つの増幅器出力信号を受信して前記出力波長範囲内の少なくとも１つの出力信号を出力するように構成された少なくとも１つの光学システムと、
を含むことを特徴とするレーザシステム。
【請求項２】
前記少なくとも１つのシード源は、少なくとも１つの利得スイッチ式ダイオードレーザシステムを含むことを特徴とする請求項１に記載の多重パス増幅器システムを有するレーザシステム。
【請求項３】
前記少なくとも１つのシード源は、少なくとも１つのファイバ増幅式ダイオードレーザシステムを含むことを特徴とする請求項１に記載の多重パス増幅器システムを有するレーザシステム。
【請求項４】
前記少なくとも１つのシード源は、１０００ｎｍから１１００ｎｍの波長を有する少なくとも１つのシード信号を出力するように構成されることを特徴とする請求項１に記載の多重パス増幅器システムを有するレーザシステム。
【請求項５】
前記少なくとも１つのシード源は、１０６４ｎｍの波長を有する少なくとも１つのシード信号を出力するように構成されることを特徴とする請求項１に記載の多重パス増幅器システムを有するレーザシステム。
【請求項６】
前記少なくとも１つのシード源は、１０３０ｎｍの波長を有する少なくとも１つのシード信号を出力するように構成されることを特徴とする請求項１に記載の多重パス増幅器システムを有するレーザシステム。
【請求項７】
前記少なくとも１つのポンプ源は、複数のファイバ結合式ダイオードを含むことを特徴とする請求項１に記載の多重パス増幅器システムを有するレーザシステム。
【請求項８】
前記少なくとも１つのポンプ源は、細長プロファイルを有する少なくとも１つのポンプ信号出力を生成するように該少なくとも１つのポンプ源の１又は２以上の光ファイバ導管を位置決めするように構成された少なくとも１つの位置決め特徴部を含むことを特徴とする請求項７に記載の多重パス増幅器システムを有するレーザシステム。
【請求項９】
前記少なくとも１つのポンプ信号波長は、１０００ｎｍ未満であることを特徴とする請求項１に記載の多重パス増幅器システムを有するレーザシステム。
【請求項１０】
前記少なくとも１つのシード源は、１００ｋＨｚ又はそれよりも高い繰返し速度を有するパルスシード源を含むことを特徴とする請求項１に記載の多重パス増幅器システムを有するレーザシステム。
【請求項１１】
前記少なくとも１つのシード源は、１０ｋＨｚ又はそれよりも高い繰返し速度を有するパルスシード源を含むことを特徴とする請求項１に記載の多重パス増幅器システムを有するレーザシステム。
【請求項１２】
前記少なくとも１つの増幅シード信号は、前記少なくとも１つの利得媒体デバイスの前記少なくとも１つの細長ファセット上に入射することを特徴とする請求項１に記載の多重パス増幅器システムを有するレーザシステム。
【請求項１３】
前記少なくとも１つのポンプ信号は、前記少なくとも１つの利得媒体デバイスの前記少なくとも１つの細長ファセット上に入射することを特徴とする請求項１に記載の多重パス増幅器システムを有するレーザシステム。
【請求項１４】
前記少なくとも１つのポンプ信号及び少なくとも１つの増幅シード信号は、前記少なくとも１つの利得媒体デバイスの前記少なくとも１つの細長ファセット上に入射することを特徴とする請求項１に記載の多重パス増幅器システムを有するレーザシステム。
【請求項１５】
前記第１のミラー及び前記少なくとも１つの第２のミラーのうちの少なくとも１つ上に形成された高透過率の前記少なくとも１つの区域は、増幅処理中に前記少なくとも１つのポンプ信号及び少なくとも１つの寄生信号のうちの少なくとも１つを透過するように構成されることを特徴とする請求項１に記載の多重パス増幅器システムを有するレーザシステム。
【請求項１６】
前記少なくとも１つの寄生信号が、ラマン発生信号を含むことを特徴とする請求項１に記載の多重パス増幅器システムを有するレーザシステム。
【請求項１７】
前記第１のミラー及び前記少なくとも１つの第２のミラーのうちの少なくとも１つが、曲面ミラーを含むことを特徴とする請求項１に記載の多重パス増幅器システムを有するレーザシステム。
【請求項１８】
前記曲面ミラーの曲率半径が、前記少なくとも１つの利得媒体デバイスを通って横断する時に前記少なくとも１つの増幅出力シード信号のビーム半径を実質的に一定のビーム半径に維持するように構成されることを特徴とする請求項１７に記載の多重パス増幅器システムを有するレーザシステム。
【請求項１９】
前記第１のミラー及び前記少なくとも１つの第２のミラーのうちの少なくとも１つが、前記利得媒体デバイスに対して角度を成していることを特徴とする請求項１に記載の多重パス増幅器システムを有するレーザシステム。
【請求項２０】
前記少なくとも１つの第１増幅器段は、そこに少なくとも１つの第１増幅器段の利得媒体を含むことを特徴とする請求項１に記載の多重パス増幅器システムを有するレーザシステム。
【請求項２１】
前記少なくとも１つの第１増幅器段の利得媒体が、Ｎｄ：ＹＶＯ4材料を含むことを特徴とする請求項１に記載の多重パス増幅器システムを有するレーザシステム。
【請求項２２】
前記少なくとも１つの第１増幅器段の利得媒体が、Ｎｄ：ＧｄＶＯ4、Ｎｄ：ＹＡＧ、Ｎｄ：ＹＬＦ、Ｎｄ：ガラス、Ｙｂ：ＹＡＧ、Ｙｂ：ＫＧＷ、Ｙｂ：ＣａＦ2、Ｙｂ：ＣＡＬＧＯ、Ｙｂ：Ｌｕ2Ｏ3、Ｙｂ：Ｓ−ＦＡＰ、Ｙｂ：ガラス、半導体利得媒体、及びセラミックレーザ材料から構成される群から選択されることを特徴とする請求項１に記載の多重パス増幅器システムを有するレーザシステム。
【請求項２３】
前記少なくとも１つの第２増幅器段内に位置決めされた前記利得媒体デバイスは、Ｎｄ：ＹＶＯ4材料を含むことを特徴とする請求項１に記載の多重パス増幅器システムを有するレーザシステム。
【請求項２４】
前記少なくとも１つの第２増幅器段内に位置決めされた前記利得媒体デバイスは、Ｎｄ：ＧｄＶＯ4、Ｎｄ：ＹＡＧ、Ｎｄ：ＹＬＦ、Ｎｄ：ガラス、Ｙｂ：ＹＡＧ、Ｙｂ：ＫＧＷ、Ｙｂ：ＣａＦ2、Ｙｂ：ＣＡＬＧＯ、Ｙｂ：Ｌｕ2Ｏ3、Ｙｂ：Ｓ−ＦＡＰ、Ｙｂ：ガラス、半導体利得媒体、及びセラミックレーザ材料から構成される群から選択されることを特徴とする請求項１に記載の多重パス増幅器システムを有するレーザシステム。
【請求項２５】
前記少なくとも１つの光学システムは、少なくとも１つの追加の増幅器を含むことを特徴とする請求項１に記載の多重パス増幅器システムを有するレーザシステム。